(57)【特許請求の範囲】
【請求項１】
熱可塑性樹脂射出成形機と、
前記熱可塑性樹脂射出成形機の先端に取付けられた樹脂射出ノズルと、
前記樹脂射出ノズルの先端部分に、一端が取付けられたフレキシブルなコイル状の加熱型中空パイプと、
前記中空パイプの他端の溶融樹脂射出口から射出された線条の溶融樹脂を巻き取る可動回転型と、
前記可動回転型を支える水平軸と垂直軸がそれぞれ回転可能であり、これらを前後、左右、上下方向にそれぞれ直線移動できるようにした可動式巻き取り台と、
前記可動式巻き取り台のそれぞれの直線移動およびそれぞれの回転を制御する制御装置と、
を有する中空成形物を作製するための線条樹脂成形装置。
【発明の詳細な説明】
【技術分野】
【０００１】
本発明は、線条樹脂成形物の製造装置に関する。
【背景技術】
【０００２】
本出願における線条樹脂成形物の製造装置とは、例えばランプシェイド等のインテリア照明機器に用いられている中空の成形物のように、樹脂糸に接着剤を塗布しながら球体金型の外周に巻き付け、乾燥した後に球体金型を取り外すことによって製作する、中空な球
形状の成形物等を製作するための装置である。
【０００３】
また従来、線条成形物を成形するためには、回転軸に取り付けられた金型に、接着剤を含ませた樹脂糸を、巻き付けて製造している。
【０００４】
また、巻き付けられた樹脂糸の接着剤が乾燥し固着するまでのある一定時間は、成形物を金型から外すことが出来ない。
【０００５】
更に、樹脂糸が回転する金型に対して滑らないように巻き付けるために、金型の回転速度をある一定以上に上げる事が出来ない。
【０００６】
理想的には、接着剤を利用せず乾燥時間も必要としない、また材料費を軽減し、製造時間の短縮も達成し、高効率な線条樹脂成形物の製造工程を確立したい。
【０００７】
そこで、例えば射出成形機のノズルから直接溶融樹脂を線条に射出させ、直ちに金型に巻き付ける方法が考えられる。しかし、成形条件や雰囲気条件により射出状態が不安定なために、線条溶融樹脂が連続的に射出されず断裂することもあり、巻き取り金型の回転速度も定速にできず、取り扱いも困難で、安定した成形が難しい。
【０００８】
この課題を解決するために、線条溶融樹脂において、樹脂本来が持っている溶着性を利用し、樹脂の温度低下による自然固化も利用できるような成形条件を見出し、成形物を製造する工程が実現できれば大変有用である。
【先行技術文献】
【特許文献】
【０００９】
【特許文献１】特開２０００−３３５８２５号公報
【特許文献２】特開  昭５３−１６７７４号公報
【発明の概要】
【発明が解決しようとする課題】
【００１０】
特許文献１の線条積層成形物の製造装置において、樹脂糸に接着剤を塗布し金型に巻
き付け、その後乾燥して金型を取り外すという工程では、接着剤の使用のための乾燥時間の削減、製造時間の短縮などの課題があり、これらを解決するための方法が望まれている。
【００１１】
特許文献２のプラスチック線条による器物成形法においては、射出成形機のノズルから射出する溶融線条樹脂を、直ちに用いて器物成形をするため、ノズルの位置が固定されてしまい、成形品の形状に制限が出てしまう。したがって成形品のデザイン性を上げるために、ノズルと金型の相対位置関係を任意に設定できないことは、重要な解決すべき課
題である。
【００１２】
本発明では、上述のような課題に鑑みてなされたものであり、射出成形機のノズルから射出する溶融線条樹脂を、フレキシブルなコイル状の中空パイプにて樹脂射出口まで、安定して誘導・供給する機能を持つ線条樹脂射出装置、および線条樹脂を様々な形状に巻き取る金型に、自在可動可能な駆動装置を具備した巻き取り金型台が必要であると考えた為、今回の発明の出願に至った。
【課題を解決するための手段】
【００１３】
本発明の目的を達成するために、熱可塑性樹脂射出成形機と、この熱可塑性樹脂射出成形機の先端に取付けられた樹脂射出ノズルと、この樹脂射出ノズルの先端部分に、一端が取付けられコイル状の加熱型中空パイプと、この中空パイプの他端の溶融樹脂射出口から射出された線条の溶融樹脂を巻き取る可動回転型と、この可動回転型を支える水平軸と垂直軸がそれぞれ回転可能であり、これらを前後、左右、上下方向にそれぞれ直線移動できるようにした可動式巻き取り台と、この可動式巻き取り台のそれぞれの直線移動およびそれぞれの回転を制御する制御装置と、を有するインテリア照明機器カバーを含む中空成形物を製作するための線条樹脂成形装置を提供する。
【００１４】
特に、上述のフレキシブルなコイル状の加熱型中空パイプは、溶融した樹脂を誘導する際に、可動回転型が前後、左右、上下方向にそれぞれ直線移動、およびＸ軸、Ｚ軸方向にそれぞれ回転することに追随し、あらゆる方向に移動が可能となっている。また、中空パイプは、中を通る樹脂の溶融状態を保つように、加熱することができるようになっている。
【００１５】
さらに、前述の可動回転型を、前後、左右、上下方向にそれぞれ直線移動、およびＸ軸、Ｚ軸方向にそれぞれ回転させることができるようにした可動式巻き取り台を備え、その移動や回転を制御する制御装置を備えたことにより、デザイナーの欲する形状の線条樹脂成形物が、前述の可動回転型で巻き取ることが可能になっている。
【００１６】
前述のフレキシブルなコイル状の加熱型中空パイプに温度センサを具備させて、溶融樹脂の冷却固化を防ぐ加熱保温のためのヒーターの温度調節制御をすることも可能になっている。
【発明の効果】
【００１７】
本発明の線条樹脂成形装置によれば、デザイナーの欲する形状のインテリア照明機器カバーを含む中空成形物を製作することが可能となる。更に、器物の形状の金型を利用する他の成形方法に比べ、金型製作費も低く抑えられるため、多品種少量生産品への対応も容易になる。
【図面の簡単な説明】
【００１８】
【図１】本発明に係る全体概念図である。
【図２】本発明に係るフレキシブルホースと樹脂射出ノズルに関する斜視図である。
【図３】本発明に係る樹脂射出ノズル部の断面図である。
【図４】本発明に係る巻き取り金型及び周辺機器の関連図である。
【図５】本発明に係るフレキシブルホースのヒーター装置に関する外観図である。
【図６】本発明に係る複数の線条樹脂射出装置に関する外観図である。
【図７】本発明に係るフレキシブルホースの断面形状に関する外観図である。
【発明を実施するための形態】
【実施例１】
【００１９】
図１は、本発明に係る全体概念図である。成形機A９a及び成形機B９bから溶融樹脂を、フレキシブルホース２を介して巻き取り金型４へ誘導する。この時、フレキシブルホース２はスライダック８及びリボンヒーター７で加熱されており、溶融樹脂が固化しないように工夫されている。巻き取り金型４は可動式巻き取り台a ５aの上に設置された金型支持部 ５bに接続されており、そのX軸（水平軸）、Z軸（垂直軸）方向がそれぞれ回転可能で、可動式巻き取り台５がX方向（前後）、Y方向（左右）、Z方向（上下）にそれぞれ直線移動できるため、誘導されてきた溶融樹脂を巻き取り金型４上において巻き取ることが可能となる。
【００２０】
図２は、本発明に係るフレキシブルホース２と樹脂射出ノズル１に係る斜視図である。
本発明の線条樹脂成形装置は、樹脂射出ノズル１とフレキシブルホース２とを具備しており、市販の配管用テーパねじを用いて連結部３で結合されている。樹脂射出ノズル１は樹脂導入部１a側を射出成形機のノズルに取り付け、溶融樹脂を樹脂射出ノズル１内に取り込み、連結部３より、フレキシブルホース２へ樹脂を送り込む構造となっている。フレキシブルホース２は、中空パイプ構造であり、金型へ樹脂を誘導する樹脂射出口２aを具備しており、蛇腹形状を利用して、あらゆる方向に移動が可能な構造である。
【００２１】
図３は、本発明に係るフレキシブルホース２の樹脂射出ノズル１の断面図である。図２、図３を参照して、樹脂射出ノズル１は、射出成形機側から樹脂を取り込む樹脂導入部１a、射出成形機に樹脂射出ノズル１を取り付けるための成形機連結用雄ねじ１b、フレキシブルホース２を連結するために利用する連結部雌ねじ１cを具備している。これにより、射出成形機から溶融樹脂を、フレキシブルホース２へ送り込むことが可能である。
【００２２】
図４は本発明に係る巻き取り金型４及び周辺機器の関連図である。巻き取り金型４は可動式巻き取り台５に設置され、可動式巻き取り台５は制御装置６によって、動きを制御されている。巻き取り金型４は射出成形機のフレキシブルホース２から溶融樹脂の供給を受けるものである。さらに、巻き取り金型４を支える金型支持部のX軸（水平軸）、Z軸（垂直軸）方向の回転と、可動式巻き取り台５のX方向（前後）、Y方向（左右）、Z方向（上下）の直線移動は制御装置６で制御されている。これらの制御により、溶融線条樹脂を金型に巻き取ることができる。動作を以下に説明する。射出成形機のシリンダー内で溶かされた樹脂を、シリンダー先端に取り付けられた樹脂射出ノズル１から、連結部３を通してフレキシブルホース２へ送り込む。フレキシブルホース２内を通過した溶融樹脂は、溶融線条樹脂射出口２aから排出され、可動式巻き取り台５に設置された巻き取り金型４によって受け止められる。溶融線条樹脂射出口２aと巻き取り金型４の相対位置を変えることにより、デザイナーの欲する形状の線条樹脂成形物が製造できる。
【００２３】
図５は、本発明に係るフレキシブルホース２のヒーター装置に関する外観図である。図２、図５を参照して、フレキシブルホース２内には溶融樹脂が充填されているため、溶融状態を保つためにはフレキシブルホース２を加熱保温しておく必要がある。リボンヒーター７は広く市販され、その種類も豊富であり、これを利用することが最も効率的であり、フレキシブルホース２の全体を囲むように巻き付ける。リボンヒーター７は電源コード７aを具備し、電源に接続されているスライダック８に接続され、スライダック８による電圧調節によりリボンヒーター７の温度調節を行うことができ、フレキシブルホース２内の溶融樹脂の温度と状態を制御することが可能である。また、フレキシブルホース２内に温度センサを具備し、自動温度調節制御することもできる。なおヒーターの温度調節には、他の温度調節制御装置も利用出来る。
【実施例２】
【００２４】
図６は、本発明に係る複数の線条樹脂射出装置に関する外観図である。図２、図６を参照して、複数の種類の樹脂、色、線条径等を織り混ぜて利用するための手法として、複数の成形機A9a、成形機B9bから異なる樹脂を、フレキシブルホース２を介して誘導することで、複数の種類の樹脂を織り混ぜて成形物を製造することができる。これによって例えばＰＰ（ポリプロピレン）とＰＣ（ポリカーボネート）、などの異種、異色の樹脂材料を織り撚ることが可能となる。複数の種類とは図６のように２種類に限らず、２種類以上である。
【実施例３】
【００２５】
図７は、本発明に係るフレキシブルホース２の形状及び断面形状に関する外観図である。図２、図７を参照して、フレキシブルホース２の目的は樹脂射出口２aを自由に移動するために、フレキシブルホース２の形状は限定しない。図２では蛇腹状のフレキシブルホース２を示したが、直線形状１０aでも円弧形状１０bでも可能である。また、樹脂射出口２aにさまざまな断面形状をしたアタッチメントを付け替え可能にすることにより、線条樹脂の断面形状を変えて成形物を製造することができる。断面形状は円形、楕円形、三角形以上の多角形である。
【００２６】
以上、本発明の実施の形態を説明したが、本発明の範囲はこれに限定されるものではなく、本発明の要旨を逸脱しない範囲内において、種々の変更を加え得ることは勿論である。例えば、射出成形機の他に、押し出し成形機等も使用することが出来る。
【００２７】
また、本発明は上述の発明を実施するための最良の形態に限らず、本発明の要旨を逸脱することなく、その他種々の構成を取り得ることは勿論である。
【符号の説明】
【００２８】
１       樹脂射出ノズル、
１a      樹脂導入部、
１b      成形機連結用雄ねじ、
１c      連結部雌ねじ、
２      フレキシブルホース、
２a     樹脂射出口、
３      連結部、
４      巻き取り金型、
５      可動式巻き取り台、
５a     可動式巻き取り台a、
５b     金型支持部、
６      制御装置、
７      リボンヒーター、
７a     電源コード、
８      スライダック
９a     成形機A、
９b     成形機B、
１０a   直線形状、
１０b   円弧形状、
【図１】
0006085786.tif 000002
【図２】
0006085786.tif 000003
【図３】
0006085786.tif 000004
【図４】
0006085786.tif 000005
【図５】
0006085786.tif 000006
【図６】
0006085786.tif 000007
【図７】
0006085786.tif 000008